(57)【要約】【課題】光硬化性樹脂の重力による偏りを抑制し、目的に合った所定形状の中空構造構造物を提供することにある。【解決手段】流体を圧入可能な内袋層２と、この内袋層２の外周に重合され、かつ光硬化性樹脂を含浸した基材層３と、この基材層３の外周に重合された透光性を持つ被覆層４とからなり、未使用時には可撓性を有し全体が遮光性を有する収納袋或いはケースに収納保管され、使用に際しては収納袋或いはケースから取り出して前記内袋層内に流体を圧入することで全体が膨らみ、そのまま前記被覆層４を透過する直射日光または人工の光源光により前記基材層３が硬化して所定形状の中空構造成形品となる光硬化性中空構造物において、前記基材層３は、光硬化性樹脂を含浸した補強繊維層としての複合部材９と、この複合部材９に重合して設けられ前記光硬化性樹脂の流動を妨げる格子状のネット１０とから構成したことを特徴とする。【選択図】      図１
2004360455.tif 000002
【特許請求の範囲】
【請求項１】
流体を圧入可能な内袋層と、この内袋層の外周に重合され、かつ光硬化性樹脂を含浸した基材層と、この基材層の外周に重合された透光性を持つ被覆層とからなり、未使用時には可撓性を有し全体が遮光性を有する収納袋或いはケースに収納保管され、使用に際しては収納袋或いはケースから取り出して前記内袋層内に流体を圧入することで全体が膨らみ、そのまま前記被覆層を透過する直射日光または人工の光源光により前記基材層が硬化して所定形状の中空構造成形品となる光硬化性中空構造物において、
前記基材層を構成する光硬化性樹脂を含浸した補強繊維層に、熱伝導率の高い繊維を混入したことを特徴とする光硬化性中空構造物。
【請求項２】
流体を圧入可能な内袋層と、この内袋層の外周に重合され、かつ光硬化性樹脂を含浸した基材層と、この基材層の外周に重合された透光性を持つ被覆層とからなり、
未使用時には可撓性を有し全体が遮光性を有する収納袋或いはケースに収納保管され、使用に際しては収納袋或いはケースから取り出して前記内袋層内に流体を圧入することで全体が膨らみ、そのまま前記被覆層を透過する直射日光または人工の光源光により前記基材層が硬化して所定形状の中空構造成形品となる光硬化性中空構造物の両端部を回転自在に支持し、硬化プロセス中に光硬化性中空構造物を回転させ、直射日光または人工の光源光を前記被覆層に均一に透過させることを特徴とする光硬化性中空構造物の硬化方法。
【発明の詳細な説明】
【技術分野】
【０００１】
この発明は、流体の圧入によって膨らみ、かつ太陽光等の光によって硬化して所定形状の中空構造成形品となる光硬化性中空構造物及びその硬化方法に関する。
【背景技術】
【０００２】
天災や人災等による緊急時の被災者を救済するために、被災地にプレハブ等の簡易ハウスやテントなどを設営する場合、予め工場で製作した支柱やパネル或いは天幕等の多数の設営資材をトラック等によって運搬し、現地でそれらを組み立てて据付を行っている。
【０００３】
しかし、その簡易ハウスやテントが大掛かりなものになるほど、その設営資材の部品点数が多く且つ支柱やパネル等が大形化して、それらの保管や輸送並びに現地での組み立て据付作業が面倒となる。特に、山間部や僻地等の交通の不便な場所への資材の輸送は大変である。
【０００４】
また、その他、例えば公園や遊園地等に設置される各種遊戯具などの屋外据付設備においても、工場で予めその目的の形状に成形した製品をトラック等で現地に運搬して組み立て設置している。しかしこの種のものでも、やはり大形なものは嵩張り運搬等の据付作業が面倒である。
【０００５】
そこで、前述のような問題を解決した光硬化性中空構造物が開示されている（例えば、１９９２年８月３１日出願の特許文献１参照）。これは、未使用時には、予め目的の形状の半製品状態に作られており、基材層に含浸した光硬化性樹脂がゲル状の状態で可撓性を有し、全体的に小さく折り畳んだり或いは小さく丸めたりして収納袋或いはケース内にコンパクトに収納しておけ、そのまま嵩張らずに倉庫等に保管したり非常に楽に輸送したりできる。
【０００６】
そして、使用に際しては、設置現場において、その光硬化性中空構造物を収納袋或いはケースから取り出し、素早く内袋層内にコンプレッサや適当なガス発生器によりガス或いは水等を圧入することで全体を膨ます。その膨らました状態を維持しながら直射日光又は人工の光源光に晒す。これでその光が外周の透光性を有する被覆層を透過して基材層の光硬化性樹脂に当たることで、その光硬化性樹脂が硬化して基材層が固化し、全体的に初期の目的に合った所定形状の中空構造成形品となり、そのまま或いは圧入した水等の流体を抜き取って設置使用できるようになる。
【０００７】
従って、保管や輸送が非常に楽で経費の節減が図れ、使用に際しては、据付現場で非常に簡単な作業により短時間で目的に合った所定形状の中空構造成形品として設置使用できる。
【０００８】
また、これと類似した宇宙構造物の伸展構造が開示されている（例えば、１９９６年４月１５日出願の特許文献２参照）。宇宙飛行体におけるアンテナ、太陽電池パドル等の宇宙構造物を伸展するもので、宇宙飛行体に固定された伸縮自在な伸展部を備え、宇宙飛行体の打上げ時には当該宇宙飛行体に収納され、打上げ後には宇宙空間における太陽光の熱によって伸長する形状記憶合金からなる。そして、伸展部の外殻の表面を紫外線硬化樹脂により被覆したものである。
【特許文献１】特許２９１６３３０号公報
【特許文献２】特許２７２８０８１号公報
【発明の開示】
【発明が解決しようとする課題】
【０００９】
しかしながら、基材層に封入された光硬化性樹脂が重力によって偏るという問題がある。すなわち、中空構造物を保管中や輸送中に重力によって未硬化の光硬化性樹脂が下側に集ってしまい、特に輸送機からの投下やロケットでの打上げ、あるいは他の天体への着陸など、大きな加速度がかかる輸送手段中にも発生する懸念がある。
【００１０】
また、硬化反応を太陽光で行なった場合、表裏の温度差によって硬化速度が表裏で差ができるという問題があった。すなわち、光硬化性樹脂の硬化は、光を当てて硬化させるものであるが、太陽光を用いて野外や宇宙空間で当該樹脂を硬化させた場合、太陽光が均一に当たるケースは少なく、この結果として表と裏で温度差が大きくなる。光硬化性樹脂の種類によっては、温度によって硬化が促進されるので、光の当たり方の差に加えて温度差による硬化速度の差が加算されてしまって、構造物全体として歪みが生じたりする虞がある。
【００１１】
この発明は前記事情に着目してなされたもので、その目的とするところは、光硬化性樹脂の重力による偏りを抑制し、目的に合った所定形状の中空構造構造物を構成することができる光硬化性中空構造物を提供することにある。
【００１２】
また、他の目的は、光硬化性中空構造物の両端部を回転自在に支持し、硬化プロセス中に光硬化性中空構造物を回転させ、直射日光または人工の光源光を被覆層に均一に透過させ、全体に亘って略同一進行で硬化させることができる光硬化性中空構造物の硬化方法を提供することにある。
【課題を解決するための手段】
【００１３】
この発明は、前記目的を達成するために、流体を圧入可能な内袋層と、この内袋層の外周に重合され、かつ光硬化性樹脂を含浸した基材層と、この基材層の外周に重合された透光性を持つ被覆層とからなり、未使用時には可撓性を有し全体が遮光性を有する収納袋或いはケースに収納保管され、使用に際しては収納袋或いはケースから取り出して前記内袋層内に流体を圧入することで全体が膨らみ、そのまま前記被覆層を透過する直射日光または人工の光源光により前記基材層が硬化して所定形状の中空構造成形品となる光硬化性中空構造物において、前記基材層を構成する光硬化性樹脂を含浸した補強繊維層に、熱伝導率の高い繊維を混入したことを特徴とする。
【００１４】
また、未使用時には可撓性を有し全体が遮光性を有する収納袋或いはケースに収納保管され、使用に際しては収納袋或いはケースから取り出して前記内袋層内に流体を圧入することで全体が膨らみ、そのまま前記被覆層を透過する直射日光または人工の光源光により前記基材層が硬化して所定形状の中空構造成形品となる光硬化性中空構造物の両端部を回転自在に支持し、硬化プロセス中に光硬化性中空構造物を回転させ、直射日光または人工の光源光を前記被覆層に均一に透過させる光硬化性中空構造物の硬化方法を特徴とする。
【発明の効果】
【００１５】
この発明によれば、光硬化性樹脂の重力による偏りを抑制し、目的に合った所定形状の中空構造構造物を構成することができる。
【００１６】
また、この発明は、光硬化性樹脂の硬化中に、未硬化の光硬化性樹脂が偏ることはなく、光硬化性中空構造物内の光硬化性樹脂が略等しい速度で硬化するという効果がある 
【発明を実施するための最良の形態】
【００１７】
以下、この発明の各実施の形態を図面に基づいて説明する。
【００１８】
図１〜図４は第１の実施形態を示し、図１は建築構造物や遊戯具などの屋外設備等の支柱や梁（パイプ）などとして設置使用するのに好適な柱状中空構造成形品を得る目的の光硬化性中空構造物の一部断面した側面図、図２は図１のＡ部を拡大した断面図、図３は作用説明図、図４（ａ）は収納袋の斜視図、（ｂ）は収納袋から光硬化性中空構造物を取り出した状態図、（ｃ）は光硬化性中空構造物を膨らまして硬化させた状態図、（ｄ）は大型テントの全体或いは大型枠体全体を光硬化性中空構造物で製作し、これを収納袋に収納した状態及び光硬化性中空構造物を膨らまして硬化させた状態図である。
【００１９】
光硬化性中空構造物１は、図１及び図２に示すように、内袋層２と、この内袋層２の外周に設けられた基材層３及びこの基材層３の外周に設けられた被覆層４とから構成され、全体が長尺の中空円筒柱状に形成されている。
【００２０】
内袋層２は、例えば合成ゴム或いはビニール製等の可撓性を有するチューブであって、一端は接続金具５によって閉塞されているか、あるいはコネクタや中心部の流路を通じて別の部材へガスを通じることができるようになっており、他端には外部からガスやエアを圧入可能に注入口６が設けられ、この注入口６を介してガスやエアを圧入することで円筒状に膨らみ、そのまま該注入口６を接続金具７によって封止すれば気密保持して膨らんだ状態を維持する構成である。
【００２１】
前記基材層３は、補強繊維層としての繊維製不織布或いは織布などのマット状基布に液状の光硬化性樹脂８を含浸してゲル状化した複合部材９である。さらに、この複合部材９の外周には複合材９を囲撓するように格子状のネット１０が複合部材９に重合して設けられている。
【００２２】
このネット１０は、図３に示すように、例えば合成繊維糸を格子状に織成したものであり、光硬化性樹脂８の流動を妨げる流動抵抗体として機能するものである。ネット１０の格子のメッシュサイズは、１０ｍｍ〜５０ｍｍ程度であり、光硬化性中空構造物１の大きさによって決定され、メッシュの方向は、０度／９０度方向でもよいし、４５度／−４５度方向でもよい。
【００２３】
前記基材層３の光硬化性樹脂８は、ポリエステル樹脂等に予め光硬化剤、例えば市販品；ベンゾインのようなものや、フォスフィンオキサイド（例：ＢＡＳＦ社Ｌｕｃｉｒｉｎ ＴＰＯ）を混入したもの、或いはエポキシ樹脂等に光カチオン開始剤（例：ＧＥシリコーン社ＵＶ−９３８０Ｃ）を予め混入したもので、直射日光や人工の光源光（主に紫外線）に一定時間以上晒すと硬化する特性を有する。
【００２４】
前記被覆層４は、透明なゴム或いはビニール製等の可撓性並びに透光性を有するチューブであって、前記基材層３の外周を被覆するよう設けられ、基布に含浸し硬化する前のゲル状態の光硬化性樹脂８の保護の役目をなすと共に、使用に際し該光硬化性樹脂８が硬化するための光を外部から透過させる役目をなしている。なお、この被覆層４は裏面に繊維等を接着して補強してもよい。
【００２５】
こうした光硬化性中空構造物１は、支柱や梁（パイプ）などとして利用する場合、光硬化性中空構造物１相互或いは他の部材と連結する場合には連結金具５，７を介して連結することができる。
【００２６】
また、こうした光硬化性中空構造物１は、未使用時には、前述までの半製品の状態に作られた時点で、基材層３の光硬化性樹脂８が光に当たって硬化しないように、図４（ａ）に示す遮光性を有する収納袋１１（遮光性を有するものであれば箱などのケースでも可）に収納して梱包・保管されている。この際、内袋層２と基材層３並びに被覆層４が全て可撓性を有するので、全体的に小さく折り畳んだり或いは小さく丸めたりして収納袋１１或いはケース内にコンパクトに収納して保管されている。
【００２７】
こうした構成の光硬化性中空構造物１であれば、未使用時には、前述の予め目的の形状の半製品の状態に作られ、基材層３に含浸した光硬化性樹脂８がゲル状の状態で可撓性を有しているので、全体的に小さく丸めたり折り畳んだりして収納袋１１或いはケース内にコンパクトに収納しておけ、そのまま嵩張らずに倉庫等に保管できると共に、そのコンパクト化したまま使用現場に非常に楽に輸送できるようになる。
【００２８】
この保管・輸送中には収納袋１１或いはケースが遮光性を有するものであるから、光の侵入がなく、基材層３の光硬化性樹脂８が硬化せずにゲル状態を維持する。この光硬化性樹脂８がゲル状態であっても、この内周に内袋層２があり、外周に被覆層４があるので、折り畳んだり丸めたりした際の接触部が付着し合う不都合がないと共に、収納袋１１或いはケースに対しても付着してしまう不都合がない。
【００２９】
そして、使用に際しては、使用現場に搬送した後、そこで収納袋１１を開封して光硬化性中空構造物１を取り出して図４（ｂ）に示すように引伸ばし、この状態で素早く内袋層２内にこの注入口６から図示しないコンプレッサや適当なガス発生器（高圧タンク（ボンベ）、自動車のエアバックのような触媒を利用した装置など）によりエア或いはガスを圧入して、該内袋層２と共に全体を図４（ｃ）に示すように円筒柱状に膨ます。
【００３０】
この膨らました状態を維持しながら直射日光又は人工の光源光に一定時間以上晒す。これでその光が外周の透光性を有する被覆層４を透過して基材層３の光硬化性樹脂８に当たることで、その光硬化性樹脂８が硬化して基材層３が固化し、図１に示すように、全体的に初期の目的に合った所定の円筒柱状の光硬化性中空構造物１となる。この状態で目的に応じ支柱や梁（パイプ）などとして設置使用する。
【００３１】
このとき、光硬化性中空構造物１は、保管中、輸送中或いは光硬化性樹脂８の硬化中に、未硬化の光硬化性樹脂８が重力によって下方へ流動しようとする。つまり、光硬化性中空構造物１を接続金具５を下にして垂直に立てた場合には基材層３内の光硬化性樹脂８が重力によって徐々に縦方向に下がろうとし、光硬化性中空構造物１を横に寝かした場合には基材層３内の光硬化性樹脂８が重力によって徐々に周方向に回って下側へ移動しようとする。しかし、基材層３には光硬化性樹脂８の流動を妨げる流動抵抗体として機能する格子状のネット１０が重合して設けられているため、図３に示すように、光硬化性樹脂８がネット１０に引っ掛かり、光硬化性樹脂８の移動が妨げられる。
【００３２】
従って、光硬化性中空構造物１の保管中、輸送中或いは光硬化性樹脂８の硬化中に、未硬化の光硬化性樹脂８が偏ることはなく、光硬化性中空構造物１内の光硬化性樹脂８が均一に硬化し、全体に亘って強度のバラツキがなく、建築構造物や遊戯具などの屋外設備等の支柱や梁（パイプ）などとして設置使用するのに適している。
【００３３】
なお、本実施形態では、光硬化性中空構造物１の内袋層２内にこの注入口６からコンプレッサや適当なガス発生器によりエア或いはガスを圧入して全体を膨ますと述べたが、そのエア或いはガスに代えて水をポンプ等により圧入するようにしても良く、この場合、光硬化性中空構造物１が膨らんで光により硬化した後は、該水等の流体は抜き出してしまう。
【００３４】
図５は第２の実施形態を示し、（ａ）は光硬化性中空構造物のＢ−Ｂ線に沿う断面図、（ｂ）は側面図であり、第１の実施形態と同一構成部分は同一番号を付して説明を省略する。光硬化性中空構造物１の補強繊維層としての基材層３を製造する際に、例えば合成繊維糸からなる複数本の太い縦糸１２を同時に配置したものであり、太い縦糸１２は基材層３の周方向に等間隔に配置されている。
【００３５】
本実施形態によれば、光硬化性中空構造物１は、保管中、輸送中或いは光硬化性樹脂８の硬化中に、未硬化の光硬化性樹脂８が重力によって下方へ流動しようとする。つまり、光硬化性中空構造物１を横に寝かした場合には基材層３内の光硬化性樹脂８が重力によって徐々に周方向に回って下側へ移動しようとする。しかし、基材層３には光硬化性樹脂８の流動を妨げる流動抵抗体として機能する太い縦糸１２が基材層３に設けられているため、光硬化性樹脂８が太い縦糸１２に引っ掛かり、光硬化性樹脂８の移動が妨げられる。
【００３６】
従って、光硬化性中空構造物１の保管中、輸送中或いは光硬化性樹脂８の硬化中に、未硬化の光硬化性樹脂８が偏ることはなく、光硬化性中空構造物１内の光硬化性樹脂８が均一に硬化し、第１の実施形態と同様の効果が得られる。
【００３７】
図６は第３の実施形態を示し、図６（ａ）は光硬化性中空構造物の一部断面した側面図、（ｂ）はＣ部を拡大した断面図であり、第１の実施形態と同一構成部分は同一番号を付して説明を省略する。光硬化性中空構造物１の補強繊維層としての基材層３を製造する際に、予め硬化させた例えばリング状の硬化部材１３を基材層２の内部に散在配置したものであり、硬化部材１３は基材層３の内部に例えば千鳥状に配置されている。
【００３８】
なお、前記硬化部材１３は、光硬化性中空構造部材を遮光性の収納袋に入れる前に、硬化させたい部分のみ、例えばリング状に紫外線を所定量だけ照射して硬化させておくことにより構成することができる。
【００３９】
本実施形態によれば、光硬化性中空構造物１は、保管中、輸送中或いは光硬化性樹脂８の硬化中に、未硬化の光硬化性樹脂８が重力によって下方へ流動しようとする。つまり、光硬化性中空構造物１を（ａ）に示すように縦方向に配置した場合には基材層３内の光硬化性樹脂８が重力によって徐々に下方向に移動しようとする。しかし、基材層３には光硬化性樹脂８の流動を妨げる流動抵抗体として機能する硬化部材１３が基材層３に散在配置されているため、光硬化性樹脂８が硬化部材１３に引っ掛かり、光硬化性樹脂８の移動が妨げられる。
【００４０】
従って、光硬化性中空構造物１の保管中、輸送中或いは光硬化性樹脂８の硬化中に、未硬化の光硬化性樹脂８が偏ることはなく、光硬化性中空構造物１内の光硬化性樹脂８が均一に硬化し、第１の実施形態と同様の効果が得られる。
【００４１】
なお、硬化部材１３は、リング状に限定されるものではなく、三角形、四角形等でもよく、またサイズは同一のものに限定されず、大小異なるサイズを散在させてもよい。あるいは、図６（ｃ）に示すように、基材層３の内部に光硬化性樹脂８の流動を妨げるリング状の硬化部材１３を光硬化性中空構造物１の周面に沿って、かつ長手方向に適宜間隔を存して配置してもよく、また、リング状の硬化部材１３は全周に一体のものに限らず、部分的に切れ目を有した硬化部材１３ａとすることにより、輸送中や未使用時の折り畳み収納が容易となる。
【００４２】
図７〜図９は第４の実施形態を示し、第１の実施形態と同一構成部分は同一番号を付して説明を省略する。図７はノード部材に対して複数本のトラス部材を連結した構造の一部を断面した側面図、図８（ａ）（ｂ）は回転機構の斜視図、図９（ａ）（ｂ）は作用説明図である。
【００４３】
トラス部材１４は、第１の実施形態の光硬化性中空構造物１と基本的に同一構造であり、内袋層２と、この内袋層２の外周に設けられた基材層３及びこの基材層３の外周に設けられた被覆層４とから構成され、全体が長尺の中空円筒柱状に形成されている。さらに、トラス部材１４の軸方向の両端部には細径筒状の連結部１５が設けられている。また、トラス部材１４が固定されるノード部材１６には連結部１５と同一径の細径筒状の連結部１７が設けられている。
【００４４】
前記連結部１５，１７は両端面を突き合わせた状態で、スイベル継手１８によって互いに回転自在に連結されている。このスイベル継手１８を挟んで連結部１５，１７には後述する回転機構１９，２０が設けられ、一方の回転機構１９はノード部材１６に固定され、他方の回転機構２０はトラス部材１４に固定されている。さらに、両回転機構１９，２０相互間にはテフロン（登録商標）等の摩擦係数の少ないシート１８ａが介在されている。
【００４５】
回転機構１９，２０は同一構造であり、図８に示すように構成されている。すなわち、左右一対の円環状部材２１，２２間には複数個の熱変形部材としての熱膨張部材２３が周方向に等間隔に放射状に配置されている。そして、図８（ａ）に示すように、矢印方向からのみ太陽光線等の熱が加わったとき、その矢印方向の熱膨張部材２３が膨張し、矢印方向と反対側の熱膨張部材２３は膨張しないため、図８（ｂ）に示すように、一方の円環状部材２２が他方の円環状部材２１に対して傾斜するようになっている。
【００４６】
従って、図９に示すように、スイベル継手１８を挟んで連結部１５，１７に一対の回転機構１９，２０を、円環状部材２２相互を接合した状態に設けることにより、図９（ａ）に示すように、矢印方向からのみ太陽光線等の熱が加わったとき、その矢印方向の熱膨張部材２３が膨張し、矢印方向と反対側の熱膨張部材２３は膨張しないため、図９（ｂ）に示すように、一方の円環状部材２２が他方の円環状部材２１に対して傾斜し、トラス部材１４がその軸心を中心として矢印方向に１８０°回転する。従って、今まで太陽光線が当たらなかった部分が太陽光線（矢印方向）に対向することになる。
【００４７】
このようにトラス部材１４が軸心を中心として回転することにより、光硬化性中空構造物１からなるトラス部材１４の光硬化性樹脂８の硬化中に、未硬化の光硬化性樹脂８が偏ることはなく、光硬化性中空構造物１内の光硬化性樹脂８が略等しい速度で硬化するという効果がある。
【００４８】
なお、第４の実施形態において、熱変形部材としての熱膨張部材２３は、熱膨張する流体が封入されたベローズ、熱膨張率の高い固体あるいは形状記憶合金、形状記憶樹脂でもよい。
【００４９】
図１０は第５の実施形態を示し、第１及び第４の実施形態と同一構成部分は同一番号を付して説明を省略する。図１０はノード部材に対して複数本のトラス部材を連結した構造の一部を断面した側面図である。
【００５０】
トラス部材１４とノード部材１６との連結部１５，１７は両端面を突き合わせた状態で、スイベル継手１８によって互いに回転自在に連結されている。このスイベル継手１８を跨ぐように連結部１５，１７には回転機構として、形状記憶合金あるいは熱収縮性の合成樹脂または熱膨張性の流体を封入した樹脂製のチューブなどの熱変形部材からなる螺旋状体２４が巻装されている。さらに、螺旋状体２４はトラス部材１４の両端部では逆巻（鏡像対称）に形成されているとともに、この螺旋状体２４は数回または数十回巻回され、その一端はトラス部材１４に、他端はノード部材１６にそれぞれ固定されている。
【００５１】
従って、図１０に示すように、矢印方向からのみ太陽光線等の熱が加わったとき、螺旋状体２４が熱収縮しながら捻られるためトラス部材１４がその軸心を中心として矢印方向に１８０°あるいはそれ以上の１８０°とは限らない角度を回転する。このときの回転の角度は、螺旋状体２４の巻回数及びその光を受けたときに発生する力などを設計・製造時に調節することによって予め設定することができる。
【００５２】
このようにトラス部材１４が軸心を中心として回転することにより、光硬化性中空構造物１からなるトラス部材１４の光硬化性樹脂８の硬化中に、未硬化の光硬化性樹脂８が偏ることはなく、光硬化性中空構造物１内の光硬化性樹脂８が均一に硬化し、第４の実施形態と同様の効果が得られる。
【００５３】
図１１は第６の実施形態を示し、第１及び第４，５の実施形態と同一構成部分は同一番号を付して説明を省略する。図１１はノード部材に対して複数本のトラス部材を連結した構造の一部を断面した側面図である。
【００５４】
トラス部材１４とノード部材１６との連結部１５，１７は両端面を突き合わせた状態で、スイベル継手１８によって互いに回転自在に連結されている。連結部１５と１７にはスイベル継手１８方向に突出して互いに対向するブラケット２５，２６が固定されている。この一対のブラケット２５と２６との間には圧力によって伸縮するベローズ２７が設けられている。このベローズ２７にはトラス部材１４及びノード部材１６の内圧をベローズ２７に導く管路２８が接続されている。
【００５５】
従って、トラス部材１４及びノード部材１６の内圧が上昇すると管路２８を介してベローズ２７の内圧が上昇するため、ベローズ２７が伸長する。従って、ブラケット２５と２６が互いに離反されるため、トラス部材１４がその軸心を中心として回転し、トラス部材１４及びノード部材１６の内圧が下降すると管路２８を介してベローズ２７の内圧が下降するため、ベローズ２７が収縮する。従って、ブラケット２５と２６が互いに接近するため、トラス部材１４がその軸心を中心として逆方向に回転する。従って、トラス部材１４及びノード部材１６の内圧によってトラス部材１４が正逆回転し、内圧を故意に上昇或いは下降することにより、トラス部材１４を正逆回転させることができる。
【００５６】
このようにトラス部材１４が軸心を中心として回転することにより、光硬化性中空構造物１からなるトラス部材１４の光硬化性樹脂８の硬化中に、未硬化の光硬化性樹脂８が偏ることはなく、光硬化性中空構造物１内の光硬化性樹脂８が均一に硬化し、第４の実施形態と同様の効果が得られる。
【００５７】
なお、第６の実施形態において、ベローズ２７に代わってシリンダとピストンによりブラケット２５と２６との間隔を増減することによりトラス部材１４を正逆回転させることができる。
【００５８】
なお、第４、第５、第６の実施形態において、トラス部材１４がその軸心を中心として回転する機構を説明したが、構造全体が光による硬化を完了した時点で、このような回転の仕組みは不要となる。このため、第４、第５、第６の実施形態におけるスイベル機構１８の一部に遅硬化性の光硬化性の接着剤を予め塗布しておいたり、第４の実施形態では、熱膨張部材２３の容器に光硬化性樹脂を塗布しておいたりして、構造全体が硬化を完了した後、トラス部材１４が正逆回転する機能を固定してしまうことも考えられる。
【００５９】
図１２は第７の実施形態を示し、第１の実施形態と同一構成部分は同一番号を付して説明を省略する。図１２はノード部材に対してトラス部材を連結した構造の側面図である。
【００６０】
トラス部材１４を構成する光硬化性中空構造物１の基材層３に炭素繊維や金属細線等の熱伝導性の優れた材料からなるリング状の熱伝導部材３０を円周方向に、かつ軸方向に所定間隔を存して配置したものである。
【００６１】
従って、図１２に示すように、矢印方向からのみ太陽光線等の熱が加わったとき、熱伝導部材３０は太陽光線が照射される側が熱せられるが、熱伝導部材３０の熱伝導作用によって太陽光線が照射されない側に熱伝導される。従って、今まで太陽光線が当たらなかった部分においても熱伝導によって熱せられるため、光硬化性中空構造物１からなるトラス部材１４の光硬化性樹脂８の硬化中に、未硬化の光硬化性樹脂８が偏ることはなく、光硬化性中空構造物１内の光硬化性樹脂８が均一に硬化し、第４の実施形態と同様の効果が得られる。
【００６２】
図１３は第８の実施形態を示し、第１の実施形態と同一構成部分は同一番号を付して説明を省略する。図１３はノード部材に対してトラス部材を連結した構造の断面図である。
【００６３】
トラス部材１４を構成する光硬化性中空構造物１の内袋層を透明フィルム３１によって形成し、矢印方向からのみ太陽光線が照射されたとき、その太陽光線は光硬化性中空構造物１の中空部を透過して反対側の基材層３に至るようにしたものである。
【００６４】
太陽光線が照射される側の光硬化性樹脂８が主として熱せられるが、太陽光線は透明フィルム３１を透過し、さらに光硬化性中空構造物１の中空部を透過して反対側の光硬化性樹脂８に至る。従って、今まで太陽光線が当たらなかった部分においても熱伝導によって熱せられるため、光硬化性中空構造物１からなるトラス部材１４の光硬化性樹脂８の硬化中に、未硬化の光硬化性樹脂８が偏ることはなく、光硬化性中空構造物１内の光硬化性樹脂８が均一に硬化し、第４の実施形態と同様の効果が得られる。
【図面の簡単な説明】
【００６５】
【図１】この発明の第１の実施形態を示し、光硬化性中空構造物の一部断面した側面図。
【図２】同実施形態を示し、図１のＡ部を拡大した断面図。
【図３】同実施形態を示す作用説明図。
【図４】同実施形態を示し、（ａ）は収納袋の斜視図、（ｂ）は収納袋から光硬化性中空構造物を取り出した状態図、（ｃ）は光硬化性中空構造物を膨らまして硬化させた状態図、（ｄ）は大型の光硬化性中空構造物を収納袋に収納した状態及び光硬化性中空構造物を膨らまして硬化させた状態図。
【図５】この発明の第２の実施形態を示し、（ａ）は光硬化性中空構造物のＢ−Ｂ線に沿う断面図、（ｂ）は側面図。
【図６】この発明の第３の実施形態を示し、（ａ）は光硬化性中空構造物の一部断面した側面図、（ｂ）はＣ部を拡大した断面図、（ｃ）は光硬化性中空構造物の斜視図。
【図７】この発明の第４の実施形態を示し、ノード部材に対して複数本のトラス部材を連結した構造の一部を断面した側面図。
【図８】同実施形態を示し、（ａ）（ｂ）は回転機構の斜視図。
【図９】同実施形態を示し、（ａ）（ｂ）は作用説明図。
【図１０】この発明の第５の実施形態を示し、ノード部材に対して複数本のトラス部材を連結した構造の一部を断面した側面図。
【図１１】この発明の第６の実施形態を示し、ノード部材に対して複数本のトラス部材を連結した構造の一部を断面した側面図。
【図１２】この発明の第７の実施形態を示し、ノード部材に対してトラス部材を連結した構造の側面図。
【図１３】この発明の第８の実施形態を示し、ノード部材に対してトラス部材を連結した構造の縦断側面図。
【符号の説明】
【００６６】
１…光硬化性中空構造物
２…内袋層
３…光硬化性樹脂を含浸した基材層
４…透光性を持つ被覆層
９…複合部材（補強繊維層）
１０…ネット
【図１】
2004360455.tif 000003
【図２】
2004360455.tif 000004
【図３】
2004360455.tif 000005
【図４】
2004360455.tif 000006
【図５】
2004360455.tif 000007
【図６】
2004360455.tif 000008
【図７】
2004360455.tif 000009
【図８】
2004360455.tif 000010
【図９】
2004360455.tif 000011
【図１０】
2004360455.tif 000012
【図１１】
2004360455.tif 000013
【図１２】
2004360455.tif 000014
【図１３】
2004360455.tif 000015